(57)【特許請求の範囲】
【請求項１】
内視鏡観察画像を撮像するための固体撮像素子が取り付けられた基板に信号ケーブルの導電線が接続された内視鏡において、
電気絶縁性の糸材が上記信号ケーブル内に軸線方向に挿通されて、上記糸材の先端部分が上記基板に固着され、上記導電線が、上記糸材より弛んだ状態で上記基板に接続されていることを特徴とする内視鏡。
【請求項２】
上記導電線と上記基板との接続部に接着剤が塗布されていて、その接着剤によって上記糸材が上記基板に接合されている請求項１記載の内視鏡。
【請求項３】
上記糸材が複数並列に配置されている請求項１又は２記載の内視鏡。
【請求項４】
上記糸材が綿糸によって形成されている請求項１、２又は３記載の内視鏡。
【請求項５】
上記固体撮像素子が、内視鏡の挿入部先端内に配置されている請求項１、２、３又は４記載の内視鏡。
【請求項６】
上記固体撮像素子が、内視鏡の接眼部に着脱自在なアダプタに配置されている請求項１、２、３又は４記載の内視鏡。
【発明の詳細な説明】
【０００１】
【発明の属する技術分野】
この発明は、観察画像を固体撮像素子で撮像するようにした内視鏡に関する。
【０００２】
【従来の技術】
電子内視鏡においては、対物光学系によって結像された内視鏡観察像を撮像するための固体撮像素子が基板に取り付けられて挿入部の先端に内蔵されている。そして、信号ケーブルの導電線が基板に半田付け等によって接続され、導電線と基板との接続部には、接着剤が塗布されて補強されている。
【０００３】
【発明が解決しようとする課題】
しかし、内視鏡の挿入部をできるだけ細くするために信号ケーブルに細い導電線が用いられると、導電線の機械的強度が低下するので、内視鏡操作における挿入部の屈曲動作等によって導電線が断線する恐れがある。
【０００４】
また、挿入部内における観察像伝送にイメージガイドファイババンドルが用いられて、接眼部に着脱自在なアダプタに内視鏡観察像を撮像するための固体撮像素子が配置されている内視鏡においても、同様の導電線断線の問題が生じる場合がある。
【０００５】
そこで本発明は、固体撮像素子の基板に接続される信号ケーブルに細い導電線を用いても、断線の恐れがない耐久性の優れた内視鏡を提供することを目的とする。
【０００６】
【課題を解決するための手段】
上記の目的を達成するため、本発明の内視鏡は、内視鏡観察画像を撮像するための固体撮像素子が取り付けられた基板に信号ケーブルの導電線が接続された内視鏡において、電気絶縁性の糸材を上記信号ケーブル内に軸線方向に挿通して、上記糸材の先端部分を上記基板に固着したことを特徴とする。
【０００７】
なお、上記導電線が、上記糸材より弛んだ状態で上記基板に接続されているとよく、上記導電線と上記基板との接続部に接着剤が塗布されていて、その接着剤によって上記糸材が上記基板に接合されていてもよい。
【０００８】
また、上記糸材が複数並列に配置されていてもよく、上記糸材が綿糸によって形成されていてもよい。
そして、上記固体撮像素子が、内視鏡の挿入部先端内に配置されていてもよく、上記固体撮像素子が、内視鏡の接眼部に着脱自在なアダプタに配置されていてもよい。
【０００９】
【発明の実施の形態】
図面を参照して本発明の実施の形態を説明する。
図２は、本発明の第１の実施の形態の内視鏡を略示しており、基端が操作部２に連結された挿入部１は、可撓管部１１と、操作部２からの遠隔操作によって屈曲自在に可撓管部１１の先端に連結された湾曲部１２と、対物光学系１４等を内蔵して湾曲部１２の先端に連結された先端部本体１３によって構成されている。
【００１０】
対物光学系１４によって結像された内視鏡観察像は、先端部本体１３に内蔵された固体撮像素子２０によって撮像され、その撮像信号は、可撓管部１１内から操作部２内に挿通配置された信号ケーブル３０によって伝送される。
【００１１】
図３は、可撓管部１１の内部構造を示しており、１５は、湾曲部１２を遠隔動作させるための操作ワイヤが進退自在に挿通されたガイドコイル、１６は被写体を照らす照明光を伝送するためのライトガイドファイババンドル、１７は送気用及び送水用のチューブ、１８は鉗子チャンネルであり、これらの内蔵物と並列に信号ケーブル３０が挿通配置されている。
【００１２】
図４は信号ケーブル３０の構造を示しており、電気絶縁性外皮３１の内側にシールド用網管３２が配置されていて、その内部に、絶縁芯ケーブル３３（導電線）、同軸芯ケーブル３４（導電線）及び電気絶縁性の綿糸３５が並列に挿通配置されている。
【００１３】
この実施の形態においては、絶縁芯ケーブル３３が信号ケーブル３０の軸線位置に配置され、その周囲に、多数の同軸芯ケーブル３４と綿糸３５が交互に配置されている。
【００１４】
絶縁芯ケーブル３３は、導体３３１を絶縁外皮３３２で被覆して構成され、同軸芯ケーブル３４は、導体３４１を絶縁体３４２で被覆して、その外周と絶縁外皮３４４との間にシールド用網管３４３が配置された構成になっている。
【００１５】
図１は、先端部本体１３に内蔵されている信号ケーブル３０の先端部分と固体撮像素子２０付近を示しており、先端部本体１３に固定される金属製のシールド筒２２の内側に電気絶縁性の絶縁筒２３が配置され、その内側に基板２１が固定されている。
【００１６】
固体撮像素子２０は、基板２１に隙間をあけて固定されていて、撮像面の表面にはカバーガラス２４が貼り付けられている。基板２１の前後両面には、各種の電子回路２５，２６が取り付けられている。
【００１７】
基板２１の後面側には、信号ケーブル３０の絶縁芯ケーブル３３と同軸芯ケーブル３４が半田付け等によって接続されていて、その接続部には、接着剤２９が盛り上がる状態に塗布されている。
【００１８】
そして、綿糸３５の先端部分がその接着剤２９によって基板２１に接合、固着されており、綿糸３５がピンと伸びた状態でも絶縁芯ケーブル３３と同軸芯ケーブル３４が弛んでいるように組み付けられている。
【００１９】
その結果、可撓管部１１や湾曲部１２が繰り返し屈曲されて信号ケーブル３０が引っ張られても、その力は主に綿糸３５によって受けられ、絶縁芯ケーブル３３と同軸芯ケーブル３４には大きな張力が作用しないので、絶縁芯ケーブル３３と同軸芯ケーブル３４を相当に細くしても断線の恐れがなく、挿入部１をできるだけ細く構成して挿入性を向上させることができる。
【００２０】
図５は、本発明の第２の実施の形態の内視鏡を示しており、挿入部１内に挿通されたイメージガイドファイババンドル１９によって接眼部３に伝送された内視鏡観察像が、接眼レンズ４を通して拡大して肉眼で観察されるようになっている。
【００２１】
そして、その接眼部３に着脱自在なＴＶカメラアダプタ５０内に配置された固体撮像素子５１によって内視鏡観察像が撮像され、その基板５２に接続された信号ケーブル５３によって撮像信号が送り出される。
【００２２】
そして、このＴＶカメラアダプタ５０内の信号ケーブル５３と基板５２との接続部に、図１に示される第１の実施の形態と同様の綿糸３５による補強構造が用いられている。
【００２３】
なお、本発明は上記の実施の形態に限定されるものではなく、例えば綿糸３５に代えて、電気絶縁性の各種の糸材を用いることができる。
【００２４】
【発明の効果】
本発明によれば、信号ケーブル内に挿通された電気絶縁性の糸材を、内視鏡観察画像を撮像する固体撮像素子が取り付けられた基板に固着したことにより、信号ケーブルが引っ張られても導電線には大きな張力が作用しないので、信号ケーブルに細い導電線を用いても断線の恐れがなくて優れた耐久性を得ることができ、その結果、内視鏡挿入部を細く形成すること等が可能となる。
【図面の簡単な説明】
【図１】本発明の第１の実施の形態の信号ケーブルの先端部分と固体撮像素子付近の側面断面図である。
【図２】本発明の第１の実施の形態の内視鏡の略示図である。
【図３】本発明の第１の実施の形態の内視鏡の挿入部の断面斜視図である。
【図４】本発明の第１の実施の形態の信号ケーブルの断面斜視図である。
【図５】本発明の第２の実施の形態の内視鏡の略示図である。
【符号の説明】
２０  固体撮像素子
２１  基板
３０  信号ケーブル
３３  絶縁芯ケーブル（導電線）
３４  同軸芯ケーブル（導電線）
３５  綿糸（糸材）
【図１】
0004185196.tif 000002
【図２】
0004185196.tif 000003
【図３】
0004185196.tif 000004
【図４】
0004185196.tif 000005
【図５】
0004185196.tif 000006